(57)【要約】 【課題】既設の建物においてＲＣ基礎を穿孔することなく柱を緊結する。【解決手段】本発明に係る柱緊結構造２１は、柱緊結具１を構成する柱側緊結部材４の柱取付け板２を柱２２に取り付けるとともに、基礎側緊結部材７の基礎取付け板５を接着剤で基礎２６に取り付けてある。柱緊結具１は化粧カバー３１で覆ってあり、該化粧カバーは、平板で構成された化粧板本体３２と、該化粧板本体の周縁に沿ってその背面側に突設された角筒状の側部３３と、該側部の反対側縁部から鍔状に外方に延設された取付部３４とから構成してある。化粧カバー３１は、柱２２、土台２５及び基礎２６を露出させている外壁開口の周縁４１に取付部３４を当接して外壁開口に固定することで、柱緊結具１を化粧板本体３２及び側部３４で囲まれた中空空間に収容するように構成してある。【選択図】  図２
2008057257.tif 000002
【特許請求の範囲】
【請求項１】
柱の屋外側側面に当接されビス、ボルト等の螺合手段で前記柱に取り付けられる柱取付け板及び該柱取付け板に突設された柱側定着部とで構成された柱側緊結部材と、前記柱が立設される土台が載せられた基礎の屋外側側面に当接され接着剤で前記基礎に取り付けられる基礎取付け板及び該基礎取付け板に突設された基礎側定着部とで構成された基礎側緊結部材と、前記柱側定着部に形成されたロッド挿通孔の孔軸と前記基礎側定着部に形成されたロッド挿通孔の孔軸とが同一の鉛直線上に位置する状態にて前記各ロッド挿通孔に挿通される連結ロッドとからなり、該連結ロッドを前記各ロッド挿通孔に挿通した上、その端部に形成された雄ねじ部に雌ねじを螺合することにより、前記柱及び前記基礎を相互に緊結するように構成したことを特徴とする柱緊結具。
【請求項２】
柱の屋外側側面に当接されビス、ボルト等の螺合手段で前記柱に取り付けられる柱取付け板及び該柱取付け板に突設された柱側定着部とで構成された柱側緊結部材と、前記柱が立設される土台が載せられた基礎の屋外側側面に当接され接着剤で前記基礎に取り付けられる基礎取付け板及び該基礎取付け板に突設された基礎側定着部とで構成された基礎側緊結部材と、前記柱側定着部に形成されたロッド挿通孔の孔軸と前記基礎側定着部に形成されたロッド挿通孔の孔軸とが同一の鉛直線上に位置する状態にて前記各ロッド挿通孔に挿通される連結ロッドとからなり、該連結ロッドを前記各ロッド挿通孔に挿通した上、その端部に形成された雄ねじ部に雌ねじを螺合することにより、前記柱及び前記基礎を相互に緊結するように構成した柱緊結具を覆う化粧カバーであって、被覆部と該被覆部の周縁に沿ってその背面側に突設された側部と該側部の反対側縁部から鍔状に外方に延設された取付部とから構成し、前記柱、前記土台及び前記基礎を露出させている外壁開口の周縁近傍に前記取付部を固定するとともに、前記柱緊結具を前記被覆部及び前記側部で囲まれた中空空間に収容するように構成したことを特徴とする柱緊結具の化粧カバー。
【請求項３】
前記被覆部を平板で構成した請求項２記載の化粧カバー。
【請求項４】
前記被覆部を断面形状がＬ字状となるように構成した請求項２記載の化粧カバー。
【請求項５】
柱取付け板及び該柱取付け板に突設された柱側定着部とで構成された柱側緊結部材と、基礎取付け板及び該基礎取付け板に突設された基礎側定着部とで構成された基礎側緊結部材と、連結ロッドとからなる柱緊結具を用いた柱緊結構造であって、前記柱取付け板を柱の屋外側側面に当接してビス、ボルト等の螺合手段で前記柱に取り付けるとともに、前記柱が立設される土台が載せられた基礎の屋外側側面に前記基礎取付け板を当接して接着剤で前記基礎に取り付け、前記柱側定着部に形成されたロッド挿通孔と前記基礎側定着部に形成されたロッド挿通孔に前記連結ロッドを挿通し、該連結ロッドの先端に雌ねじを螺合することで、前記基礎及び前記柱を相互に緊結したことを特徴とする柱緊結構造。
【請求項６】
柱の屋外側側面に当接されビス、ボルト等の螺合手段で前記柱に取り付けられる柱取付け板及び該柱取付け板に突設された柱側定着部とで構成された柱側緊結部材と、前記柱が立設される土台が載せられた基礎の屋外側側面に当接され接着剤で前記基礎に取り付けられる基礎取付け板及び該基礎取付け板に突設された基礎側定着部とで構成された基礎側緊結部材と、前記柱側定着部に形成されたロッド挿通孔の孔軸と前記基礎側定着部に形成されたロッド挿通孔の孔軸とが同一の鉛直線上に位置する状態にて前記各ロッド挿通孔に挿通される連結ロッドとからなり、該連結ロッドを前記各ロッド挿通孔に挿通した上、その端部に形成された雄ねじ部に雌ねじを螺合することにより、前記柱及び前記基礎を相互に緊結するように構成した柱緊結具と、
前記柱緊結具を覆う化粧カバーであって、被覆部と該被覆部の周縁に沿ってその背面側に突設された側部と該側部の反対側縁部から鍔状に外方に延設された取付部とから構成し、前記柱、前記土台及び前記基礎を露出させている外壁開口の周縁近傍に前記取付部を固定するとともに、前記柱緊結具を前記被覆部及び前記側部で囲まれた中空空間に収容するように構成してなる化粧カバーとを備えたことを特徴とする柱緊結構造。
【発明の詳細な説明】
【技術分野】
【０００１】
本発明は、主として住宅の柱脚を補強するための柱緊結具、それを覆う化粧カバー及びそれらを用いた柱緊結構造に関する。
【背景技術】
【０００２】
建物の鉛直荷重を支持する柱は、地震時においては、鉛直上方への引抜き荷重も受けるため、該柱の脚部にホールダウン金物を固定する一方、コンクリート基礎に定着されたアンカーボルトを土台に挿通し、該アンカーボルトの先端をホールダウン金物に連結することで、柱の脚部をコンクリート基礎に固定するのが望ましい。
【０００３】
ここで、アンカーボルトは、新築時の柱位置を基準としてコンクリート基礎に配置されているため、リフォーム工事の際、移設や増設によってあらたに柱を立設しようとしても、該柱の立設箇所には当然ながらアンカーボルトは存在しない。
【０００４】
したがって、例えば、土台を貫通させるようにしてアンカーボルト挿通穴を布基礎に穿孔し、次いで、穿孔した布基礎の穴を清掃後、樹脂が充填されたケミカルアンカー（登録商標、以下、単にケミカルアンカー）と呼ばれる樹脂カプセルを挿入し、しかる後、アンカーボルトを回転圧入あるいは揺動圧入しながら樹脂カプセルを壊してアンカーボルトを樹脂で定着させることにより、アンカーボルトを新設する必要があった。
【０００５】
【特許文献１】特開２００５−３００１２号公報
【特許文献２】特開２００４−３２４２２５号公報
【特許文献３】特開２００３−１８４３１６号公報
【特許文献４】実用新案登録第３０２８９９７号公報
【発明の開示】
【発明が解決しようとする課題】
【０００６】
しかしながら、このような方法では、布基礎を穿孔する際、穿孔作業のために一階の壁をほとんど撤去しなければならないとともに、穿孔の際に騒音や粉塵が発生し、加えて、布基礎を穿孔したことによって該布基礎の強度が低下するという問題を生じていた。特に、ＲＣの布基礎の場合、鉄筋まで切ってしまって曲げ強度が大きく低下する懸念が大きい。
【０００７】
上述した方法以外にも、既設の布基礎に柱の脚部を連結する方法がいくつか提案されているが、いずれも基礎を穿孔する工程を含むため、上述したと同様の問題が生じる。
【課題を解決するための手段】
【０００８】
本発明は、上述した事情を考慮してなされたもので、既設の建物においてＲＣ基礎を穿孔することなく、該ＲＣ布基礎に柱を緊結することが可能な柱緊結具、それを覆う化粧カバー及びそれらを用いた柱緊結構造を提供することを目的とする。
【０００９】
上記目的を達成するため、本発明に係る柱緊結具は請求項１に記載したように、柱の屋外側側面に当接されビス、ボルト等の螺合手段で前記柱に取り付けられる柱取付け板及び該柱取付け板に突設された柱側定着部とで構成された柱側緊結部材と、前記柱が立設される土台が載せられた基礎の屋外側側面に当接され接着剤で前記基礎に取り付けられる基礎取付け板及び該基礎取付け板に突設された基礎側定着部とで構成された基礎側緊結部材と、前記柱側定着部に形成されたロッド挿通孔の孔軸と前記基礎側定着部に形成されたロッド挿通孔の孔軸とが同一の鉛直線上に位置する状態にて前記各ロッド挿通孔に挿通される連結ロッドとからなり、該連結ロッドを前記各ロッド挿通孔に挿通した上、その端部に形成された雄ねじ部に雌ねじを螺合することにより、前記柱及び前記基礎を相互に緊結するように構成したものである。
【００１０】
また、本発明に係る化粧カバーは請求項２に記載したように、柱の屋外側側面に当接されビス、ボルト等の螺合手段で前記柱に取り付けられる柱取付け板及び該柱取付け板に突設された柱側定着部とで構成された柱側緊結部材と、前記柱が立設される土台が載せられた基礎の屋外側側面に当接され接着剤で前記基礎に取り付けられる基礎取付け板及び該基礎取付け板に突設された基礎側定着部とで構成された基礎側緊結部材と、前記柱側定着部に形成されたロッド挿通孔の孔軸と前記基礎側定着部に形成されたロッド挿通孔の孔軸とが同一の鉛直線上に位置する状態にて前記各ロッド挿通孔に挿通される連結ロッドとからなり、該連結ロッドを前記各ロッド挿通孔に挿通した上、その端部に形成された雄ねじ部に雌ねじを螺合することにより、前記柱及び前記基礎を相互に緊結するように構成した柱緊結具を覆う化粧カバーであって、被覆部と該被覆部の周縁に沿ってその背面側に突設された側部と該側部の反対側縁部から鍔状に外方に延設された取付部とから構成し、前記柱、前記土台及び前記基礎を露出させている外壁開口の周縁近傍に前記取付部を固定するとともに、前記柱緊結具を前記被覆部及び前記側部で囲まれた中空空間に収容するように構成したものである。
【００１１】
また、本発明に係る化粧カバーは、前記被覆部を平板で構成したものである。
【００１２】
また、本発明に係る化粧カバーは、前記被覆部を断面形状がＬ字状となるように構成したものである。
【００１３】
また、本発明に係る柱緊結構造は請求項５に記載したように、柱取付け板及び該柱取付け板に突設された柱側定着部とで構成された柱側緊結部材と、基礎取付け板及び該基礎取付け板に突設された基礎側定着部とで構成された基礎側緊結部材と、連結ロッドとからなる柱緊結具を用いた柱緊結構造であって、前記柱取付け板を柱の屋外側側面に当接してビス、ボルト等の螺合手段で前記柱に取り付けるとともに、前記柱が立設される土台が載せられた基礎の屋外側側面に前記基礎取付け板を当接して接着剤で前記基礎に取り付け、前記柱側定着部に形成されたロッド挿通孔と前記基礎側定着部に形成されたロッド挿通孔に前記連結ロッドを挿通し、該連結ロッドの先端に雌ねじを螺合することで、前記基礎及び前記柱を相互に緊結したものである。
【００１４】
また、本発明に係る柱緊結構造は請求項６に記載したように、柱の屋外側側面に当接されビス、ボルト等の螺合手段で前記柱に取り付けられる柱取付け板及び該柱取付け板に突設された柱側定着部とで構成された柱側緊結部材と、前記柱が立設される土台が載せられた基礎の屋外側側面に当接され接着剤で前記基礎に取り付けられる基礎取付け板及び該基礎取付け板に突設された基礎側定着部とで構成された基礎側緊結部材と、前記柱側定着部に形成されたロッド挿通孔の孔軸と前記基礎側定着部に形成されたロッド挿通孔の孔軸とが同一の鉛直線上に位置する状態にて前記各ロッド挿通孔に挿通される連結ロッドとからなり、該連結ロッドを前記各ロッド挿通孔に挿通した上、その端部に形成された雄ねじ部に雌ねじを螺合することにより、前記柱及び前記基礎を相互に緊結するように構成した柱緊結具と、
前記柱緊結具を覆う化粧カバーであって、被覆部と該被覆部の周縁に沿ってその背面側に突設された側部と該側部の反対側縁部から鍔状に外方に延設された取付部とから構成し、前記柱、前記土台及び前記基礎を露出させている外壁開口の周縁近傍に前記取付部を固定するとともに、前記柱緊結具を前記被覆部及び前記側部で囲まれた中空空間に収容するように構成してなる化粧カバーとを備えたものである。
【００１５】
本発明に係る柱緊結具及びそれを用いた柱緊結構造においては、柱緊結具を構成する柱側緊結部材の柱取付け板を柱の屋外側側面に当接してビス、ボルト等の螺合手段で柱に取り付けるとともに、柱が立設される土台が載せられた基礎の屋外側側面に柱緊結具を構成する基礎側緊結部材の基礎取付け板を当接し接着剤で基礎に取り付け、柱側緊結部材の柱側定着部に形成されたロッド挿通孔と基礎側緊結部材の基礎側定着部に形成されたロッド挿通孔に柱緊結具を構成する連結ロッドを挿通し、該連結ロッドの先端に雌ねじを螺合することで、基礎及び柱を相互に緊結する。
【００１６】
このようにすると、従来のケミカルアンカーでは、基礎に穴をあける必要があったため、基礎を傷める懸念があったが、本願発明においては、基礎に穴をあける必要がないため、基礎を健全に維持することが可能になるとともに、基礎への取付けを接着剤で行うため、ドリル等の大型機械が不要となり、作業性が大幅に改善されるのみならず、作業時の粉塵発生や騒音も未然に防止することができる。
【００１７】
また、本発明に係る化粧カバー並びに化粧カバー及び柱緊結具を用いた柱緊結構造においては、柱緊結具を構成する柱側緊結部材の柱取付け板を柱の屋外側側面に当接してビス、ボルト等の螺合手段で柱に取り付けるとともに、柱が立設される土台が載せられた基礎の屋外側側面に柱緊結具を構成する基礎側緊結部材の基礎取付け板を当接し接着剤で基礎に取り付け、柱側緊結部材の柱側定着部に形成されたロッド挿通孔と基礎側緊結部材の基礎側定着部に形成されたロッド挿通孔に連結ロッドを挿通し、該連結ロッドの先端に雌ねじを螺合することで、基礎及び柱を柱緊結具で相互に緊結してある。
【００１８】
また、かかる柱緊結具を化粧カバーで覆ってあり、該化粧カバーは、被覆部と、該被覆部の周縁に沿ってその背面側に突設された側部と、該側部の反対側縁部から鍔状に外方に延設された取付部とから構成し、前記柱、前記土台及び前記基礎を露出させている外壁開口の周縁近傍に前記取付部を固定するとともに、前記柱緊結具を前記被覆部及び前記側部で囲まれた中空空間に収容するように構成してある。
【００１９】
このようにすると、従来のケミカルアンカーでは、基礎に穴をあける必要があったため、基礎を傷める懸念があったが、本願発明においては、基礎に穴をあける必要がないため、基礎を健全に維持することが可能になるとともに、基礎への取付けを接着剤で行うため、ドリル等の大型機械が不要となり、作業性が大幅に改善されるのみならず、作業時の粉塵発生や騒音も未然に防止することができる。
【００２０】
加えて、柱緊結具を化粧カバーで覆うようにしたので、柱緊結具が風雨で劣化することなく、かつ建物の美観を損なうこともない。
【発明を実施するための最良の形態】
【００２１】
以下、本発明に係る柱緊結具、それを覆う化粧カバー及びそれらを用いた柱緊結構造の実施の形態について、添付図面を参照して説明する。なお、従来技術と実質的に同一の部品等については同一の符号を付してその説明を省略する。
【００２２】
図１は、本実施形態に係る柱緊結具を示した分解斜視図である。同図に示すように、本実施形態に係る柱緊結具１は、柱取付け板２及び該柱取付け板に突設された柱側定着部３とで構成された柱側緊結部材４と、基礎取付け板５及び該基礎取付け板に突設された基礎側定着部６とで構成された基礎側緊結部材７と、連結ロッド８とからなり、連結ロッド８は、柱側定着部３に形成されたロッド挿通孔９と基礎側定着部６に形成されたロッド挿通孔１０に挿通された上、その端部に形成された雄ねじ部１１に雌ねじ１２を螺合するようになっている。
【００２３】
柱側緊結部材４は、従来のホールダウン金物で構成することができる。また、基礎側緊結部材７についても、従来のホールダウン金物を製造する工程において、ネジ孔を穿孔する工程を省略することで製造することが可能である。
【００２４】
なお、連結ロッド８は、角形座金１３に挿通してからロッド挿通孔９に挿通するようになっているとともに、雌ねじ１２は、連結ロッド８に角形座金１４を挿通してから、その先端に形成された雄ねじ部１１に螺合するようになっている。
【００２５】
図２は、柱緊結具１を用いた柱緊結構造を示した図である。同図でわかるように、本実施形態に係る柱緊結構造２１は、柱側緊結部材４の柱取付け板２を柱２２の屋外側側面２３に当接して螺合手段であるラグスクリュー２４で柱２２に取り付けるとともに、柱２２が立設される土台２５が載せられた基礎２６の屋外側側面２７に基礎側緊結部材７の基礎取付け板５を当接して接着剤で基礎２６に取り付け、柱側定着部３に形成されたロッド挿通孔９と基礎側定着部６に形成されたロッド挿通孔１０に連結ロッド８を挿通し、該連結ロッドの先端に雌ねじ１２を螺合することで、柱２２を基礎２６に緊結してある。
【００２６】
接着剤は、例えばエポキシ樹脂接着剤を用いることができる。
【００２７】
本実施形態に係る柱緊結構造２１は、上述した柱緊結具１を覆う化粧カバー３１を備える。
【００２８】
化粧カバー３１は、平板で構成された被覆部３２と、該被覆部の周縁に沿ってその背面側に突設された角筒状の側部３３と、該側部の反対側縁部から鍔状に外方に延設された取付部３４とから構成してあり、かかる化粧カバー３１は図３及び図４でよくわかるように、柱２２、土台２５及び基礎２６を露出させている外壁開口の周縁４１近傍に取付部３４を固定することで、柱緊結具１を被覆部３２及び側部３４で囲まれた中空空間に収容するように構成してある。
【００２９】
化粧カバー３１は、耐候性や耐久性を考慮して、ステンレスやプラスチックで形成するのが望ましい。
【００３０】
本実施形態に係る柱緊結具１及び化粧カバー３１を用いて柱緊結構造２１を構築するには図３及び図４に示すように、まず外壁４４を切除し、耐震補強の対象となる柱２２、土台２５及び基礎２６の接合箇所を屋外に露出させる。
【００３１】
外壁４４を切除した後には、周縁４１を有する外壁開口が形成されるので、この外壁開口を介して柱緊結具１の取付けを行う。
【００３２】
すなわち、柱緊結具１を取り付ける箇所を必要に応じて点検した後、柱側緊結部材４の柱取付け板２を柱２２の屋外側側面２３に当接してラグスクリュー２４で柱２２に取り付けるとともに、基礎側緊結部材７の基礎取付け板５を基礎２６の屋外側側面２７に当接して接着剤で基礎２６に取り付ける。
【００３３】
基礎取付け板５と基礎２６との接着強度が十分に発現したならば、柱側定着部３に形成されたロッド挿通孔９と基礎側定着部６に形成されたロッド挿通孔１０に連結ロッド８を挿通し、該連結ロッドの先端に雌ねじ１２を螺合して柱２２を基礎２６に緊結する。
【００３４】
次に、外壁開口の周縁４１の内側近傍にパッキン４６を取り付け、該パッキンと外壁開口の周縁４１との間に捨てコーキング４５を施す。
【００３５】
次に、化粧カバー３１の取付部３４をパッキン４６に当接し、該取付部を柱等に釘で留め付ける。なお、背面が基礎２６の箇所については、留め付けを省略するか、又は接着剤等の手段によって適宜、基礎２６に固定する。
【００３６】
次に、取付部３４の上から化粧コーキング４７を施すことで止水性を高め、作業を終了する。
【００３７】
以上説明したように、本実施形態に係る柱緊結具１、それを覆う化粧カバー３１及び柱緊結構造２１によれば、基礎２６に穴をあける必要がないため、基礎２６を健全に維持することが可能になるとともに、柱緊結具１の基礎２６への取付けを接着剤で行うため、ドリル等の大型機械が不要となり、作業性が大幅に改善されるのみならず、作業時の粉塵発生や騒音も未然に防止することができる。
【００３８】
また、柱緊結具１を化粧カバー３１で覆うようにしたので、柱緊結具１が風雨で劣化することなく、かつ建物の美観を損なうこともない。
【００３９】
本実施形態では、被覆部を平板で構成したが、建物の隅部に立設された柱２２ａの脚部を耐震補強する場合に本発明に係る化粧カバーを適用するには、図５に示すように、平板で形成された被覆部３２に代えて、柱２２ａの２つの側面に取り付けられた柱緊結具１，１を覆うことができるよう、断面形状がＬ字状に形成された被覆部３２ａを有する化粧カバー５４を用いればよい。
【００４０】
化粧カバー５４の取付け手順については、化粧カバー３１とほぼ同様であるので、ここでは詳細な説明を省略するが、図５に示す化粧カバー５４のように、被覆部３２ａ、側部３３ａ及び取付部３４ａからなる化粧カバー本体３１ａと、一方の縁部に柱当接部５２が形成され他方の縁部に化粧カバー当接部５３が形成されてなる支持部材５１とからなる場合には、まず、柱当接部５２が柱２２ａの隅部にあてがわれるようにして支持部材５１を予め柱２２ａに固定し、しかる後、該支持部材の化粧カバー当接部５３が被覆部３２ａのコーナー内面にあてがわれるようにして化粧カバー本体３１ａの取付部３４ａを柱等に釘で留め付ける。なお、背面が基礎２６の箇所については、留め付けを省略するか、又は接着剤等の手段によって適宜、基礎２６に固定する。
【００４１】
かかる構成によれば、建物の隅部に立設された柱２２ａを耐震補強するために直交２方向に取り付けられた２つの柱緊結具１，１をまとめて覆うことによって化粧カバーが大型化したとしても、該化粧カバーに十分な剛性を持たせることが可能となる。
【図面の簡単な説明】
【００４２】
【図１】本実施形態に係る柱緊結具１の分解斜視図。
【図２】本実施形態に係る柱緊結構造２１の全体斜視図。
【図３】同じく鉛直断面図。
【図４】図３のＡ−Ａ線に沿う水平断面図。
【図５】変形例に係る柱緊結構造２１ａ及びそれに用いる化粧カバー５４を示した水平断面図。
【符号の説明】
【００４３】
１                            柱緊結具
２                            柱取付け板
３                            柱側定着部
４                            柱側緊結部材
５                            基礎取付け板
６                            基礎側定着部
７                            基礎側緊結部材
８                            連結ロッド
９，１０                      ロッド挿通孔
１１                          雄ねじ部
１２                          雌ねじ
２１                          柱緊結構造
２２                          柱
２５                          土台
２６                          基礎
３１，５４                    化粧カバー
３２                          被覆部
３３                          側部
３４                          取付部
【図１】
2008057257.tif 000003
【図２】
2008057257.tif 000004
【図３】
2008057257.tif 000005
【図４】
2008057257.tif 000006
【図５】
2008057257.tif 000007